(57)【要約】  【課題】ストレス解消や癒しの提供に貢献する照明装置を提供する。  【解決手段】この照明装置Ａは、光源１１を備えた装置本体１と、装置本体１の光源１１に臨ませて設けられ該光源１１から照射される光を通過させるための光通過空間Ｓを形成し得るように位置づけられた植物保持体２とを具備してなり、植物保持体２が、植物Ｚを光通過空間Ｓ側に延出する姿勢で保持するための植栽部２１と、植栽部２１に保持された植物Ｚに水Ｗを供給するための水貯留部２２とを備えたものとした。【選択図】図１
2012104420.tif 000002
【特許請求の範囲】
【請求項１】
光源を備えた装置本体と、この装置本体の光源に臨ませて設けられ該光源から照射される光を通過させるための光通過空間を形成し得るように位置づけられた植物保持体とを具備してなり、前記植物保持体が、植物を前記光通過空間側に延出する姿勢で保持するための植栽部と、この植栽部に保持された植物に水を供給するための水貯留部とを備えたものであることを特徴とする照明装置。
【請求項２】
前記装置本体が、点状の光源と、この光源の光を下方に向けて照射するための反射板とを備えたものであり、前記植物保持体が、前記光通過空間を囲うように配された環状のものである請求項１記載の照明装置。
【請求項３】
前記植物保持体が、中空ドーナツ状をなすもので、懸吊具を介して前記装置本体から吊り下げられている請求項２記載の照明装置。
【請求項４】
前記植物保持体が、上面内周寄りの部位に植物を植えた植栽ポットを内側に傾斜させて保持するための複数の植栽部を円周方向に間隔をあけて設けたものである請求項３記載の照明装置。
【請求項５】
前記植栽部が、水を貯留する内部空間と外部空間とを連通する複数の開口部を備えている請求項４記載の照明装置。
【請求項６】
前記装置本体が、線状の光源と、この光源の光を下方に向けて照射するための反射板とを備えたものであり、前記植物保持体が、前記光通過空間に隣接するように偏移させて前記光源と略平行に配されたものである請求項１記載の照明装置。
【発明の詳細な説明】
【技術分野】
【０００１】
本発明は、オフィスや店舗等で好適に使用される照明装置に関するものである。
【背景技術】
【０００２】
従来、この種の照明装置として、天井に取り付けられるハウジングに光源や反射板等を保持させてなるものや、床面に立設される支柱の上側に光源を設けたものなどが一般的である（例えば、特許文献１を参照）。
【０００３】
照明装置は、所定の空間を一定の明るさに保つことを主な目的としているが、空間の雰囲気を多様に演出するために、壁面や天井面を利用して空間に光りを柔らかく供給する間接照明装置なども種々開発されている。
【０００４】
しかしながら、近時のオフィスにおいては、ワーカーに対するストレス解消や癒し等がより強く求められる傾向があり、照明装置に対しても更なる工夫が望まれている。
【０００５】
このような事情は、オフィスに限らず各種の店舗や家庭その他で使用される照明装置についても同様である。
【先行技術文献】
【特許文献】
【０００６】
【特許文献１】特開平９−８９２８２号公報
【発明の概要】
【発明が解決しようとする課題】
【０００７】
本発明は、以上のような事情に着目してなされたもので、ストレス解消や癒しの提供に貢献し得る照明装置を提供することにある。
【課題を解決するための手段】
【０００８】
すなわち、本発明の照明装置は、次の構成をなしたものである。
【０００９】
請求項１に係る照明装置は、光源を備えた装置本体と、この装置本体の光源に臨ませて設けられ該光源から照射される光を通過させるための光通過空間を形成し得るように位置づけられた植物保持体とを具備してなり、前記植物保持体が、植物を前記光通過空間側に延出する姿勢で保持するための植栽部と、この植栽部に保持された植物に水を供給するための水貯留部とを備えたものである。
【００１０】
なお、「水」とは、一般的な水以外にも養分を含むものであってもよい。
【００１１】
請求項２に係る照明装置は、請求項１に係る構成において、前記装置本体が、点状の光源と、この光源の光を下方に向けて照射するための反射板とを備えたものであり、前記植物保持体が、前記光通過空間を囲うように配された環状のものである。
【００１２】
請求項３に係る照明装置は、請求項２に係る構成において、前記植物保持体が、中空ドーナツ状をなすもので、懸吊具を介して前記装置本体から吊り下げられているものである。
【００１３】
請求項４に係る照明装置は、請求項３に係る構成において、前記植物保持体が、上面内周寄りの部位に植物を植えた植栽ポットを内側に傾斜させて保持するための複数の植栽部を円周方向に間隔をあけて設けたものである。
【００１４】
請求項５に係る照明装置は、請求項４に係る構成において、前記植栽部が、水を貯留する内部空間と外部空間とを連通する複数の開口部を備えているものである。
【００１５】
請求項６に係る照明装置は、請求項１に係る構成において、前記装置本体が、線状の光源と、この光源の光を下方に向けて照射するための反射板とを備えたものであり、前記植物保持体が、前記光通過空間に隣接するように偏移させて前記光源と略平行に配されたものである。
【発明の効果】
【００１６】
以上説明したように本発明によれば、ストレス解消や癒しの提供に貢献する照明装置を提供することができる。
【図面の簡単な説明】
【００１７】
【図１】本発明の一実施形態を示す照明装置の斜視図。
【図２】同実施形態における正面図。
【図３】同実施形態における平面図。
【図４】図３におけるＡ−Ａ線断面図。
【図５】他の実施形態である照明装置の概略左側面図。
【図６】同実施形態における概略正面図。
【発明を実施するための形態】
【００１８】
以下、本発明の一実施形態を、図１〜図４を参照して説明する。
【００１９】
本実施形態は、本発明を、オフィス等の天井Ｔに吊るして用いられる照明器具Ａに適用した場合のものである。
【００２０】
この照明器具Ａは、ＬＥＤを用いた光源１１を備えた装置本体１と、装置本体１の光源１１に臨ませて設けられ該光源１１から照射される光を通過させるための空間である光通過空間Ｓを形成し得るように位置づけられた植物保持体２とを具備してなるものである。しかして、植物保持体２が、観葉植物等の植物Ｚの葉の部分を光通過空間Ｓに延出する姿勢で保持するための植栽部２１と、植栽部２１に保持された植物Ｚの根の部分に水Ｗを供給するための水貯留部２２、より具体的には、植栽部２１に保持された植物Ｚを植えた植栽ポットｐの下端に水Ｗが浸かるように設定された水貯留部２２とを備えたものとしている。
【００２１】
装置本体１は、省電力性能に優れたＬＥＤを採用してなる点状の光源１１たるＬＥＤ電球と、光源１１の光を下方に向けて照射するための笠形状をなす反射板１２とを備えたものである。ここで、「点状の」光源とは、点状に配された光源であり、換言すれば、電球状の光源である。点状の光源には、例えば、１つの電球を用いるもののほか、複数の電球を一か所に纏めることにより一体的にしたものも含まれる。
【００２２】
装置本体１は、上部分に位置してなり筒状をなす上部材Ｕと、下部分に位置してなり笠形状をなす下部材Ｌとを備えている。装置本体１は、上部材Ｕと下部材Ｌとによって、図２に示すように、側面視略フラスコ形状をなしている。上部材Ｕは、上端においてオフィスの天井等から降ろされる装置本体１を懸吊する部材でもある配線用のコードＨを保持するとともに、下端において光源１１であるＬＥＤ電球を保持するものであり、光源１１の発光に伴う熱を外部に放熱させるための部分としても機能している。なお、図４では、上部材Ｕの内部構造は省略して示している。下部材Ｌは、笠形状をなしたものであり、内面に反射板１２を備えたものである。また、下部材Ｌの下縁部分では、植物保持体２を懸吊支持するための複数の懸吊具ｔたる棒状部材を保持している。
【００２３】
続いて、植物保持体２について説明する。
【００２４】
植物保持体２は、光通過空間Ｓを囲うように配された環状のもの、換言すれば、平面視又は底面視においてドーナツ形状をなすものである。植物保持体２は、樹脂により成形されている。ここで、光通過空間Ｓは、平面視又は底面視において環状をなす植物保持体２の前後方向及び左右方向の中央に位置している上下方向に開放された空間である。そして、光通過空間Ｓの上側に位置する光源１１から照射される光は、少なくとも光通過空間Ｓを通過し、その後、オフィスにおける机の天板や床面や壁面等の各所に至るようになっている。
【００２５】
植物保持体２は、内部空間Ｎの下側に植物Ｚの生育に供するための水Ｗを貯留する水貯留部２２を有する中空のドーナツ状をなすもので、本実施形態においては、棒状の懸吊具ｔを介して装置本体１から吊り下げられている。植物保持体２には、水貯留部２２に水Ｗを供給又は補給するための注水部Ｃが設けられている。注水部Ｃは、後述する植物保持体２の保持体本体２ａに形成される孔であり、より具体的には、保持体本体２ａの外壁部２ａ２に形成されている。なお、注水部Ｃである孔は水Ｗを供給等しない場合には図示しないキャップ等により塞がれるようにもすることができる。
【００２６】
また、植物保持体２には、水貯留部２２に貯留される水Ｗの量を確認するための水量確認窓Ｍが設けられている。水量確認窓Ｍは、植物保持体２の保持体本体２ａに設けられているもので、より具体的には、保持体本体２ａの外壁部２ａ２に設けられている。なお、本実施形態においては、水量確認窓Ｍは、保持体本体２ａに設けられた開口、換言すれば、外部空間と内部空間Ｎとを連通する貫通孔としている。
【００２７】
植物保持体２は、上側の部位すなわち上面内周寄りの部位に、植物Ｚを植えた植栽ポットｐを内側に傾斜させて保持するための植栽部２１を有している。換言すれば、植物保持体２の植栽部２１は、植物Ｚが植えられている植栽ポットｐを、植物Ｚの葉の部分が光通過空間Ｓに位置するようにして保持している。この植栽部２１は、後述する開口部Ｋに臨む内部空間Ｎを含み、後述する植物保持体２の保持体本体２ａの円周方向に一定の間隔をあけて設けられている。なお、この植栽部２１は、円周方向に連続して設けてもよい。植栽ポットｐは、カップ形状のポット内に連続気泡を有した発泡体やロックウールあるいはハイドロコーン等の多孔質材料を充填したものであり、植栽部２１により保持され得る幅寸法、より具体的には、植栽部２１の上支持部２１１と下支持部２１２とによって挟持され得る植栽ポットｐの平面視形状に対応した幅寸法を備えているものである。
【００２８】
植物保持体２は、下部分に水貯留部２２を備えた保持体本体２ａと、この保持体本体２ａの上側の内周寄りの部位に形成された開口部分に着脱可能に設けられる複数の蓋部材２ｂとを備えたものである。したがって、内部空間Ｎは、保持体本体２ａと蓋部材２ｂとで囲まれた空間である。
【００２９】
植物保持体２は、水Ｗが貯留されているとともに植栽部２１を有する内部空間Ｎと外部空間とを連通する複数の開口部Ｋ、具体的に本実施形態においては９つの開口部Ｋを備えている。
【００３０】
保持体本体２ａは、平面視リング状の底面部２ａ１と底面部２ａ１の外周縁より上方に延びる外壁部２ａ２と底面部２ａ１の内周縁より上方に延びる内壁部２ａ３とからなり、内部空間Ｎを少なくとも上方に開放するものである。本実施例では、内壁部２ａ３の高さを外壁部２ａ２の高さよりも低く設定し内部空間Ｎを上方及び内方に開放するものとしている。また、保持体本体２ａの内部空間Ｎの下側に植栽ポットｐに植えられた植物Ｚに付与される水Ｗを貯留するための水貯留部２２を有している。また、保持体本体２ａは、主に光が照射される側すなわち光通過空間Ｓ側に植物Ｚの葉の部分が延出する姿勢となるように、植栽ポットｐを保持する植栽部２１を備えている。植栽部２１は、植栽ポットｐを上下から一定姿勢を保持して挟持することが出来るように、植栽ポットｐの上側を支持するプレート状の上支持部２１１と、植栽ポットｐの下側を支持するプレート状の下支持部２１２とを備えたものである。植栽部２１をこのように構成することによって、植物Ｚを植えた植栽ポットｐを、天井に吊るされた不安定な状態の植物保持体２から容易に着脱できるようになっている。
【００３１】
蓋部材２ｂは、保持体本体２ａの上斜め内側の部位に形成された開口部分に着脱可能に設けられており、本実施形態では、略同一形状をなすものが保持体本体２の開口部分を塞ぐようにして９つ並べて配されている。蓋部材２ｂは、長手方向の両端部に略半円形状ないし略楕円形状をなす切欠部２３が形成されており、略同一構造をなして隣接する他の蓋部材２ｂに形成された略半円形状ないし略楕円形状をなす切欠部２３と相まって、斜め上方に略円形状ないし略楕円形状に開口した開口部Ｋが形成されるようになっている。なお、水貯留部２２への水Ｗの供給又は補給は、一部の蓋部材２ｂを外すことにより行うこともできる。
【００３２】
植栽ポットｐは、外部から開口部Ｋを通過させて、保持体本体２ａの植栽部２１に配することができるようになっている。蓋部材２ｂは、保持体本体２ａの開口部分を上側から覆うものであり、保持体本体２ａの内部から水Ｗが蒸発するのを抑制する機能も有している。
【００３３】
このように、本実施形態に係る照明装置Ａは、光源１１を備えた装置本体１と、装置本体１の光源１１に臨ませて設けられ該光源１１から照射される光を通過させるための光通過空間Ｓを形成し得るように位置づけられた植物保持体２とを具備してなり、植物保持体２が、植物Ｚを光通過空間Ｓ側に延出する姿勢で保持するための植栽部２１と、この植栽部２１に保持された植物Ｚに水Ｗを供給するための水貯留部２２とを備えたものであるので、照射された光が、光通過空間Ｓに延出する植物Ｚの葉によって部分的に遮られて室内空間における床面や壁面や家具等に至るようになり、木漏れ日的な照明を実現することができる。そして、この照明装置Ａは、木漏れ日的な光を創出し、見る者にストレスの解消や癒し等を与えるものとなる。すなわち、本実施形態に係る照明装置Ａであれば、オフィス等の室内においても、まるで晴れた日に木陰で佇み、木漏れ日を受けているかのような環境を実現することができるため、ワーカーがリラックスできる雰囲気やワーカーが癒される雰囲気を形成するものとなる。
【００３４】
植物保持体２が、植物Ｚに水Ｗを供給するための水貯留部２２を有しているので、植物Ｚの生育に不可欠な水Ｗを供給することができ、植物Ｚの生育を維持できるものとなっている。さらに、上述した構成のものであれば、植物Ｚに十分な光を与えることができるので、植物Ｚが光の不足に困ることが無いものとなっている。
【００３５】
装置本体１が、点状の光源１１と、光源１１の光を下方に向けて照射するための反射板１２とを備えたものであり、植物保持体２が、光通過空間Ｓを囲うように配された環状のものであるので、点状の光源１１及び反射板１２により照射された光を効率よく一定方向に照射させることができ、また、植物保持体２が、より多くの植物Ｚの葉の部分を光通過空間Ｓに延出させることができるものとなる。
【００３６】
植物保持体２が、中空ドーナツ状をなすもので、懸吊具ｔを介して装置本体１から吊り下げられているものであるので、装置本体１と植物保持体２との間に植物Ｚの葉が延出できる空間が形成されるとともに、室内であっても外部からの風を植物Ｚの葉が受けやすいものとなり、木漏れ日的な光をより一層創出しやすいものとなっている。
【００３７】
植物保持体２が、上面内周寄りの部位に植物Ｚを植えた植栽ポットｐを内側に傾斜させて保持するための植栽部２１を円周方向に連続して設けたものであるので、植物Ｚの葉の部分を光通過空間Ｓ側に延出しやすい態様で植栽ポットｐを複数保持することができるものとなる。
【００３８】
植物保持体２が、水Ｗを貯留する内部空間Ｎと外部空間とを連通する複数の開口部Ｋを備えているので、植物Ｚを内部空間Ｎから外部に見栄えよく出すことができるとともに、内部空間Ｎにある水Ｗの蒸発を好適に抑制するものとなる。
【００３９】
なお、本発明は、以上に詳述した実施形態に限られるものではない。
【００４０】
植栽部２１は、植栽ポットｐを挟持する上支持部２１１と下支持部２１２とを備えるように構成したが、両支持部２１１、２１２を設けずに、植栽ポットｐを植物保持体２に設けた開口部Ｋの開口縁で直接支持させるようにしても良い。開口部Ｋは、蓋部材２ｂ又は保持体本体２ａに設けるようにしても良いし、蓋部材２ｂ及び保持体本体２ａの双方に繋がる開口として構成しても良い。
【００４１】
図５及び図６では、他の実施形態である照明装置Ｂを示している。この照明装置Ｂは、前述した実施形態である照明装置Ａと比較すると、壁面Ｙに取り付けられた態様のものである点や、蛍光灯やＬＥＤ蛍光灯などの線状の光源Ｂ１１を使用している点や、装置本体Ｂ１や植物保持体Ｂ２の全体形状が左右方向に一直線状に延びている点などが異なっている。なお、図５及び図６における他の実施形態では、符号の頭に「Ｂ」を付したうえで、前述した実施形態の構成に相当する構成については同一の符号を付して説明するものとし、説明を省略又は簡略化する部分がある。
【００４２】
図５及び図６に示される照明装置Ｂは、光源Ｂ１１を備えた装置本体Ｂ１と、この装置本体Ｂ１の光源Ｂ１１に臨ませて設けられ該光源Ｂ１１から照射される光を通過させるための光通過空間ＢＳを形成し得るように位置づけられた植物保持体Ｂ２とを具備してなり、植物保持体Ｂ２が、植物ＢＺを光通過空間ＢＳ側に延出する姿勢で保持するための植栽部Ｂ２１と、植栽部Ｂ２１に保持された植物ＢＺに水ＢＷを供給するための水貯留部Ｂ２２とを備えたものである。更に、当該他の実施形態に示される照明装置Ｂは、装置本体Ｂ１が、線状の光源Ｂ１１と、この光源Ｂ１１の光を下方に向けて照射するための反射板Ｂ１２とを備えたものであり、植物保持体Ｂ２が、光通過空間ＢＳに隣接するように偏移させて光源Ｂ１１と略平行に配されたものである。なお、植物保持体Ｂ２は、フレーム形状をなす支持部材３を介して装置本体Ｂ１及び壁面Ｙに支持されるようにしている。
【００４３】
このようなものであっても、照射された光が、光通過空間ＢＳに延出する植物ＢＺを照射しつつ、室内の床面や壁面や家具等に至るようになり、木漏れ日的な照明を実現することができ、当該照明により利用者にストレスの解消や癒し等を与えるものとなり、所期の目的を達成するものとなる。
【００４４】
しかも、前述した実施形態のものと同様に、植物保持体Ｂ２が、植物ＢＺに水ＢＷを供給するための水貯留部Ｂ２２を有しているので、植物ＢＺの生育に不可欠な水ＢＷを与えることができるものとなっているとともに、上述した構成のものであれば、植物ＢＺに十分な光を与えることができるので、植物ＢＺの成長の促進にも寄与するものとなっている。
【００４５】
また、当該他の実施形態のものであれば、壁面Ｙに取り付けて用いることができるため、壁面Ｙを癒し等の提供に有効利用することができるものとなる。
【００４６】
光源は、本実施形態で説明したＬＥＤのものに限定されず、光を発するものであればどのようなものであってもよい。しかしながら、本実施形態に示すようなＬＥＤ光源を用いたものであれば、省電力に寄与するものとなる。
【００４７】
本実施形態では、装置本体が天井から吊るされたものであるとして説明したが、このようなものには限定されず、例えば、装置本体を保持するための、又は装置本体を吊るすための別個の保持装置を用いてもよい。
【００４８】
本実施形態では、植物が、観葉植物であるとして説明したが、これに限定されるものではなく。例えば、野菜や雑草などの植物であってもよいのはもちろんのことである。
【００４９】
光通過空間は、本実施形態においては、植物保持体の中央部分における空間であるとして説明したが、これに限定されるものではない。
【００５０】
植物保持体の具体的な形状は、本実施形態に限定されるものではなく、種々変更が可能である。環状のものにおいては、円形のもの以外にも、例えば、三角枠状のものや、四角枠状のものや、五角形以上の多角形の枠状のものなどが考えられる。また、植栽部の数や開口部の数も適宜設定可能である。
【００５１】
植物保持体の材質は、どのようなものであってもよく、例えば、本実施形態で説明したような樹脂製のものの他、金属製のものや、木製のものや、陶製のもの等種々のものが考えられる。また、樹脂製の植物保持体の配色も自由に設定することができるものであり、内部空間を視認可能な透明又は半透明のものとしてもよい。
【００５２】
本実施形態では、水量確認窓は保持体本体に設けられた開口としていたが、これに限定されるものではない。その他のものとしては、植物保持体の一部、例えば、植物保持体の保持体本体の一部を透明にしたもの等が考えられる。すなわち、水量確認窓は、水貯留部に貯留される水量を視認できるものであればどのようなものでもよい。
【００５３】
その他、各部の具体的構成についても上記実施形態に限られるものではなく、本発明の趣旨を逸脱しない範囲で種々変形が可能である。
【符号の説明】
【００５４】
１…装置本体
２…植物保持体
１１…光源
１２…反射板
２１…植栽部
２２…水貯留部
Ａ…照明装置
Ｓ…光通過空間
ｐ…植栽ポット
ｔ…懸吊具
Ｗ…水
Ｚ…植物
【図１】
2012104420.tif 000003
【図２】
2012104420.tif 000004
【図３】
2012104420.tif 000005
【図４】
2012104420.tif 000006
【図５】
2012104420.tif 000007
【図６】
2012104420.tif 000008